(57)【要約】【課題】複数の固形食品を収容してもかさばらない。【解決手段】おにぎりケース１は、筒部材２１〜２５から構成されている。筒部材２１〜２５は、Ａ方向にスライド移動するように互いに嵌め合わされている。これにより、筒部材２１〜２５の全体がＡ方向に伸縮可能になっている。【選択図】図１
0003145251.tif 000002
【実用新案登録請求の範囲】
【請求項１】
互いに同じ形状及び同じ大きさの複数の固形食品を収容可能な食品容器であって、
前記固形食品を収容する収容空間が内部に形成された１又は複数の筒部材を備えており、
前記１又は複数の筒部材が、収容できる前記固形食品の数が異なる複数の状態を前記収容空間が選択的に取るように、一方向に関して伸縮可能であることを特徴とする食品容器。
【請求項２】
互いの端部同士が前記一方向に関して移動可能に嵌め合わされた少なくとも２つの前記筒部材を備えていることを特徴とする請求項１に記載の食品容器。
【請求項３】
前記一方向に関して短くなるように前記１又は複数の筒部材を付勢する付勢部材をさらに備えていることを特徴とする請求項１又は２に記載の食品容器。
【考案の詳細な説明】
【技術分野】
【０００１】
本考案は、固形食品を収容する食品容器に関する。
【背景技術】
【０００２】
固形食品を収容する容器として、特許文献１のおにぎりケースがある。
【０００３】
【特許文献１】実開平７−１８５９１号公報
【考案の開示】
【考案が解決しようとする課題】
【０００４】
特許文献１のようなおにぎりケースは、１個のおにぎりを収容するものである。複数の固形食品を収容するために容器を大きくすると、かさばった容器になる。
【０００５】
本考案の目的は、複数の固形食品を収容することができ、かさばらない食品容器を提供することにある。
【課題を解決するための手段及び考案の効果】
【０００６】
本考案は、互いに同じ形状及び同じ大きさの複数の固形食品を収容可能な食品容器であって、前記固形食品を収容する収容空間が内部に形成された１又は複数の筒部材を備えており、前記１又は複数の筒部材が、収容できる前記固形食品の数が異なる複数の状態を前記収容空間が選択的に取るように、一方向に関して伸縮可能である。
【０００７】
本考案によると、１又は複数の筒部材が伸縮することにより、収容空間に収容できる固形食品の数が変わる。このため、内部に収容する固形食品の数に合わせて全体の長さを調整することができる。したがって、複数の固形食品を収容しても容器がかさばることがない。
【０００８】
また、本考案においては、互いの端部同士が前記一方向に関して移動可能に嵌め合わされた少なくとも２つの前記筒部材を備えていることが好ましい。これによると、２つの筒部材を一方向に関して移動させることで、容器全体を一方向に関して伸縮させることができる。
【０００９】
また、本考案においては、前記一方向に関して短くなるように前記１又は複数の筒部材を付勢する付勢部材をさらに備えていることが好ましい。これによると、上記の一方向に関して短くなるように付勢手段が筒部材を付勢している。したがって、食品容器を、内部に収容する固形食品の数に応じた大きさにすることができる。
【考案を実施するための最良の形態】
【００１０】
以下、本考案の一実施形態であるおにぎりケース１について説明する。図１は、おにぎりケース１の斜視図である。図２は、おにぎりケース１の正面図であって、一部断面を含んでいる。
【００１１】
おにぎりケース１全体は、図１のＡ方向に関して長尺な角柱の概略形状を有している。おにぎりケース１は、筒部材２１〜２５の５つの筒状の部材を有している。筒部材２１〜２５は、いずれも合成樹脂の薄板からなる筒型の部材である。また、筒部材２１〜２５においてＡ方向に直交する方向に沿った断面は、角が丸みを帯びた三角形の形状を有している。
【００１２】
図３（ａ）は、筒部材２２の斜視図であり、図３（ｂ）は筒部材２３の斜視図である。筒部材２２は、Ａ方向について両端が開口している。筒部材２２のＡ方向に関する一端には突起１０ｂが形成され、他端には突起１１ａが形成されている。突起１０ｂ及び１１ａは、いずれもＡ方向に直交する面方向に沿って突出しており、突起１０ｂは筒型の外側へと突出しているのに対して、突起１１ａは筒型の内側へと突出している。また、突起１０ｂ及び１１ａは、いずれも、Ａ方向に直交する方向に沿った断面について筒部材２２の全周に亘って延びている。
【００１３】
筒部材２３は、Ａ方向について両端が開口している。筒部材２３のＡ方向に関する一端には突起１１ｂが形成され、他端には突起１４ａ〜１４ｃが形成されている。突起１１ｂ及び１４ａ〜１４ｃは、いずれもＡ方向に直交する面方向に沿って突出していると共に、いずれも筒型の外側へと突出している。突起１１ｂは、Ａ方向に直交する方向に沿った断面について筒部材２２の全周に亘って延びているのに対して、突起１４ａ〜１４ｃは、三角形の角部の周辺の領域にのみ形成されている。
【００１４】
筒部材２１は、図２に示すように右端のみが開口している。筒部材２１の開口部には突起１０ａが形成されている。突起１０ａは、Ａ方向に直交する面方向に沿って筒型の内側へと突出している。また、突起１０ａは、Ａ方向に直交する方向に沿った断面について筒部材２１の全周に亘って延びている。
【００１５】
図２に示すように、筒部材２２の左端は筒部材２１の内部に嵌め込まれており、筒部材２３の左端は筒部材２２の内部に嵌め込まれている。筒部材２１の内表面８ａは、筒部材２２の突起１１ａよりわずかに大きく、突起１１ａがＡ方向に沿って筒部材２１内で移動できるように形成されている。一方、筒部材２１の突起１０ａは、内径が突起１１ａより小さく形成されている。突起１０ａが図２において右方から突起１１ａに当接することにより、突起１１ａが筒部材２１内から外部へと移動するのが規制される。
【００１６】
また、筒部材２２の内表面８ｂは、筒部材２３の突起１１ｂよりわずかに大きく、突起１１ｂがＡ方向に沿って筒部材２２内で移動できるように形成されている。一方、筒部材２２の突起１０ｂは、内径が突起１１ｂより小さく形成されている。突起１０ｂが図２において右方から突起１１ｂに当接することにより、突起１１ｂが筒部材２２内から外部へと移動するのが規制される。
【００１７】
筒部材２４は、図２において左右両端が開口している。筒部材２４の右端には突起１１ｃが形成され、左端には突起１３ａ〜１３ｃが形成されている。突起１１ｃ及び１３ａ〜１３ｃは、いずれもＡ方向に直交する面方向に沿って突出しているが、突起１１ｃは筒型の外側へと突出しているのに対して、突起１３ａ〜１３ｃは筒型の内側へと突出している。また、突起１１ｃは、Ａ方向に直交する方向に沿った断面について筒部材２４の全周に亘って延びているのに対して、突起１３ａ〜１３ｃは、三角形の角部の周辺の領域にのみそれぞれ形成されている。
【００１８】
筒部材２５は、図２に示すように左端のみが開口している。筒部材２５の開口部には突起１０ｃが形成されている。突起１０ｃは、Ａ方向に直交する面方向に沿って筒型の内側へと突出している。また、突起１０ｃは、Ａ方向に直交する方向に沿った断面について筒部材２５の全周に亘って延びている。
【００１９】
図２に示すように、筒部材２４の右端は筒部材２５の内部に嵌め込まれている。筒部材２５の内表面９ａは、筒部材２４の突起１１ｃよりわずかに大きく、突起１１ｃがＡ方向に沿って筒部材２５内で移動できるように形成されている。一方、筒部材２５の突起１０ｃは、内径が突起１１ｃより小さく形成されている。突起１０ｃが図２において左方から突起１１ｃに当接することにより、突起１１ｃが筒部材２５内から外部へと移動するのが規制される。
【００２０】
筒部材２３の右端の突起１４ａ〜１４ｃは筒部材２４内に嵌め込まれている。筒部材２４の内表面９ｂは、突起１４ａ〜１４ｃよりわずかに外側に配置され、突起１４ｂが図２の左右方向に筒部材２４内で移動できるように形成されている。一方、筒部材２４の左端の突起１３ａ〜１３ｃは、突起１４ａ〜１４ｃにＡ方向に関して対向するように形成されている。突起１３ａ〜１３ｃが図２において左方から突起１４ａ〜１４ｃに当接することにより、突起１４ａ〜１４ｃが筒部材２４内から外部へと移動するのが規制される。
【００２１】
以上のように、筒部材２１〜２５は、互いにＡ方向に関してスライド移動するように構成されている。したがって、筒部材２１〜２５はＡ方向に関して伸縮可能である。これにより、おにぎりケース１は、図１の状態から、図１の状態よりＡ方向に関する幅が小さい図４（ａ）の状態や図４（ｂ）の状態を取ることが可能である。また、逆に、図４（ａ）の状態や図４（ｂ）の状態から図１の状態に戻ることも可能である。
【００２２】
図１に示すように、筒部材２１〜２５の周囲にはゴム帯４（付勢部材）が巻き掛けられている。図２に示すように、筒部材２１及び２５には複数の帯通し５が固定されており、ゴム帯４はこれらの帯通し５に通されている。ゴム帯４の両端は筒部材２３の上方に配置された固定具７の固定部７ａ及び７ｂに固定されている。ゴム帯４の長さは、筒部材２１〜２５が図１及び図４（ａ）のいずれかの状態にあるときに、Ａ方向に関して筒部材２１及び２５同士を近づけるように筒部材２１及び２５を付勢している。なお、図２では、図を見やすくするため、ゴム帯４及び固定具７を図示していない。
【００２３】
以上の構成を有するおにぎりケース１内には、図２に示すように、内部空間１８（収容空間）が形成される。この内部空間１８においてＡ方向に直交する方向に沿った断面は、いずれもほぼ合同であり、Ａ方向に直交する面方向に関して同じ位置に配置されている。つまり、内部空間１８は、軸方向がＡ方向に沿った三角柱の概略形状を有している。これにより、おにぎりケース１は、断面が三角形の形状を有する複数のおにぎりを、Ａ方向に関して配列させた状態で内部空間１８に収容することができる。
【００２４】
一方、図４（ａ）や図４（ｂ）の状態においては、内部空間１８は、Ａ方向に関する幅が図１の状態より小さくなっている。これにより、例えば、図４（ｂ）の状態においては１個のおにぎりを、図４（ａ）の状態においては２個のおにぎりを、さらに、図１の状態においては３個のおにぎりを収容させるといった使用方法が可能である。
【００２５】
また、図１の状態や図４（ａ）の状態においては、ゴム帯４が筒部材２１及び２５をＡ方向に関して互いに近づけるように付勢している。したがって、内部空間１８に１又は複数のおにぎりを収容すると、Ａ方向に関して、筒部材２１及び２５がゴム帯４によって近づけられ、内部空間１８の幅がちょうど内部に収容されたおにぎりの幅と一致するように筒部材２１〜２５がスライド移動する。したがって、おにぎりケース１は、内部に収容したおにぎりの個数に応じた幅を有することとなるので、複数のおにぎりを収容した場合にもかさばることがない。
【００２６】
さらに、筒部材２１〜２３同士の嵌め合わせや、筒部材２４及び２５同士の嵌め合わせは、突起１０ａ〜１０ｃが突起１１ａ〜１１ｃの移動を規制することにより確保されている。ここで、突起１０ａ〜１０ｃ及び突起１１ａ〜１１ｃは、図２や図３に示すように筒部材の周囲の全周に亘って延びているので、部材同士が外れるのを確実に防止している。
【００２７】
一方で、筒部材２３と筒部材２４との嵌め合わせは、突起１３ａ〜１３ｃと突起１４ａ〜１４ｃとによって確保されている。ここで、突起１３ａ〜１３ｃ及び突起１４ａ〜１４ｃは、筒部材の周囲の全周に亘って延びておらず、筒部材の周囲の一部のみに沿って延びている。したがって、筒部材２３及び２４同士の嵌め合わせは、部材同士が外れるのをある程度抑制しつつ、筒部材２１〜２３同士の嵌め合わせなどと比べて外れやすいようになっている。これにより、筒部材２３に筒部材２４を嵌め込んだり、筒部材２３から筒部材２４を取り外したりしやすいように構成されている。このため、筒部材２３から筒部材２４を取り外し、おにぎりを収容した後に、筒部材２３に筒部材２４をはめ込むことで、おにぎりケース１に容易におにぎりを収容することができる。
【００２８】
なお、筒部材２３と筒部材２４とを互いに着脱しやすいように、これらの部材が可撓性を有する材料から構成されていることが好ましい。
【００２９】
以下、上記の実施形態の変形例について説明する。図５は、変形例に係るおにぎりケース１０１の一部断面を含む正面図である。
【００３０】
おにぎりケース１０１は、筒部材１２１〜１２４を有している。筒部材１２１〜１２４は、いずれもＡ方向に直交する方向に沿った断面が三角形の概略形状を有した筒型の部材である。筒部材１２１は、図５において右端が開口しており、筒部材１２４は左端が開口している。筒部材１２２及び１２３は、左右両端が開口している。
【００３１】
筒部材１２２は、蛇腹状に構成されており、Ａ方向に関して伸縮が可能である。筒部材１２２の両端は、筒部材１２１の右端及び筒部材１２３の左端にそれぞれ固定されている。筒部材１２３の右端は、筒部材１２４の左端内に嵌め込まれている。筒部材１２３の右端及び筒部材１２４の左端には、突起１１４ａ〜１１４ｃ及び突起１１３ａ〜１１３ｃがそれぞれ形成されている。突起１１４ａ〜１１４ｃは、筒型の外側に向かって突出しており、三角形の角部の周辺の領域にのみそれぞれ形成されている。突起１１３ａ〜１１３ｃは、筒型の内側に向かって突出しており、やはり三角形の角部の周辺の領域にのみそれぞれ形成されている。これにより、上述の突起１３ａ〜１３ｃ及び突起１４ａ〜１４ｃと同様に、筒部材１２３及び１２４を互いに嵌め合わせたり取り外したりしやすくなっている。また、突起１１４ａ〜１１４ｃは、筒部材１２４内をＡ方向に往復移動可能である。
【００３２】
このように、おにぎりケース１０１は、筒部材１２３及び１２４同士がＡ方向にスライドしたり、筒部材１２２の蛇腹が伸縮したりすることにより、全体としてＡ方向に伸縮することができる。
【００３３】
筒部材１２１〜１２４の内部には、おにぎりを収容する収容空間１１８が形成されている。収容空間１１８は、Ａ方向に直交する方向に沿った断面が三角形の概略形状を有している。収容空間１１８内には、断面が三角形のおにぎりをＡ方向に関して配列させた状態で収容することができる。また、筒部材１２１〜１２４がＡ方向に関して伸縮すると、収容空間１１８も同様に伸縮する。これによって、異なる個数のおにぎりを収容空間１１８に収容することができる。
【００３４】
＜変形例＞
以上は、本考案の好適な実施形態についての説明であるが、本考案は上述の実施形態に限られるものではなく、課題を解決するための手段に記載された範囲の限りにおいて様々な変更が可能なものである。
【００３５】
上述の実施形態では、筒部材２１〜２５が合成樹脂の薄板から構成されているが、その他の素材から構成されてもよい。例えば、竹などを編み込んだり、合成繊維を編み込んだりすることで構成されてもよい。また、不織布や紙などの素材から構成されていてもよい。
【００３６】
また、上述の実施形態では、断面が三角形の形状のおにぎりを収容する場合を想定しており、おにぎりケースの断面が三角形に形成されている。しかし、その他の形状のおにぎりを収容する場合に本考案が適用されてもよい。例えば、俵型のおにぎりを収容する場合には、おにぎりケースの断面を円や楕円形状にしてもよい。また、おにぎりケースの断面を四角形などの三角形以外の多角形にしてもよいし、星型やハート型などの形状にしてもよい。
【００３７】
また、上述の実施形態では、筒部材２１〜２５を付勢する部材としてゴム帯４が用いられている。しかし、ゴムのように弾性に富む材質で構成しなくてもよく、単なる布製の帯状部材が用いられてもよい。例えば、ベルトの両端に互いに着脱可能な面ファスナーが設けられており、おにぎりケース１のＡ方向に関する幅に応じて長さを調節しながらベルトの両端同士を固定できるように構成されていてもよい。
【００３８】
また、上述の変形例ではゴム帯４のような付勢部材が用いられていないが、おにぎりケース１０１にゴム帯４を組み合わせて用いてもよい。また、おにぎりケース１０１の蛇腹の構成を、おにぎりケース１の筒部材２１〜２５のいずれかに適用してもよい。
【００３９】
また、上述の変形例では、筒部材１２３及び１２４同士がスライド移動可能に嵌め合わされているが、筒部材１２３及び１２４同士が固定されていてもよい。この場合にも、筒部材１２２が伸縮するので、おにぎりケース１０１全体として伸縮可能である。
【００４０】
また、上述の実施形態ではおにぎりを収容することを想定しているが、おにぎり以外の食品を収容する場合に本考案を適用してもよい。本考案は、おにぎりやコロッケなどの定型を有することが多い固形食品を不定数収容する場合に適している。
【図面の簡単な説明】
【００４１】
【図１】本考案の一実施形態に係るおにぎりケースの斜視図である。
【図２】図１のおにぎりケースの一部断面を含む正面図である。
【図３】図１のおにぎりケースを構成する筒部材の斜視図である。
【図４】図１のおにぎりケースを伸縮させた場合の斜視図である。
【図５】本考案の別の一実施形態に係るおにぎりケースの一部断面を含む正面図である。
【符号の説明】
【００４２】
２１-２５、１２１-１２４は筒部材、１、１０１はおにぎりケース、４はゴム帯である。
【図１】
0003145251.tif 000003
【図２】
0003145251.tif 000004
【図３】
0003145251.tif 000005
【図４】
0003145251.tif 000006
【図５】
0003145251.tif 000007